(57)【特許請求の範囲】
【請求項１】
半導体部品を含む複数の電子部品と、
この電子部品と電気的に接続する配線パターンを備える基板と、
この基板の少なくとも一部に設けたグランド端子と、
この基板に搭載し、内部に複数の端子を有する第１のコネクタと、
この基板に搭載し、内部に複数の端子を有する第２のコネクタと、
この基板の周縁を囲むフレームと、
このフレームを挟持して固定し表裏両面を形成する一対の金属パネルと、
からなるデータ入出力カードであって、
前記第２のコネクタの少なくとも一部を導電性部材で形成した導電部を設け、
この導電部と前記グランド端子とを電気的に接続すると共に、
前記一対の金属パネルのいずれか又は双方に弾性を有する突部を設け、
この突部と前記導電性部材とを電気的に接続すること
を特徴とするデータ入出力カード。
【請求項２】
半導体部品を含む複数の電子部品と、
この電子部品と電気的に接続する配線パターンを備える基板と、
この基板の少なくとも一部に設けたグランド端子と、
この基板に搭載し、内部に複数の端子を有する第１のコネクタと、
この基板に搭載し、内部に複数の端子を有する第２、第３のコネクタと、
この基板の周縁を囲むフレームと、
このフレームを挟持して固定し表裏両面を形成する一対の金属パネルと、
からなるデータ入出力カードであって、
前記第２、第３のコネクタそれぞれに、少なくとも一部を導電性部材で形成した導電部を設け、
この導電部と前記グランド端子とを電気的に接続すると共に、
前記一対の金属パネルのいずれか又は双方に前記第２、第３のコネクタそれぞれに接続可能な弾性を有する複数の突部を設け、
この複数の突部と前記導電性部材とを電気的に接続すること
を特徴とするデータ入出力カード。
【請求項３】
前記突部の先端は、略くの字に折曲していることを特徴とする請求項１又は２記載のデータ入出力カード。
【発明の詳細な説明】
【０００１】
【発明の属する技術分野】
本発明は、パーソナルコンピュータやワードプロセッサ等の電子機器に対して挿抜可能な、例えばＭＯＤＥＭカード、ＬＡＮカード、ＩＳＤＮカード、ＭＵＳＩＣカード、ビデオキャプチャカードなどと呼ばれるデータ入出力カードに関するものである。
【０００２】
【従来の技術】
従来、この種のデータ入出力カードは数多く発明されている。例えば本出願人の出願に係わる特願平９−１３１７６７号は次のように構成されている。
【０００３】
図５の分解斜視図に示すように、データ入出力カード１０１は基板１０３の配線パターンによって電気的に接続する半導体部品を含む複数の電子部品１０２、パーソナルコンピュータやワードプロセッサ等の電子機器と電気的に接続するコネクタ１０４、及び電話回線やＨＵＢと電気的に接続するコネクタ１０５を備え、樹脂成形体のフレーム１０６により前記基板１０３の周縁を囲み、表金属パネル１０９と裏金属パネル１１０により前記フレーム１０６を挟持して固定した構成から成る。
【０００４】
また、金属製クリップ１１１は、パーソナルコンピュータ印刷メモリカード国際協会（ＰＣＭＣＩＡ）及び日本電子工業振興協会（ＪＥＩＤＡ）が推奨している「ＰＣ  ＣＡＲＤ  ＳＴＡＮＤＡＲＤ」規格において、入出力装置１０１の両側縁に設けるように規定されたものである。この金属製クリップ１１１の一部は弾性を有する延長部１１２と弾性を有する切欠き部１１３とを備え、この延長部１１２と基板１０３のグランド端子１１４と表金属パネル１０９と裏金属パネル１１０を電気的に接続して同電位とし、外部ノイズや人体などから放電する静電気を前記金属製クリップ１１１から電子機器の接地回路へ放電可能とすることにより前記電子部品１０２を保護するデータ入出力カードが知られている。
【０００５】
【発明が解決しようとする課題】
このようなデータ入出力カードは、パーソナルコンピュータ印刷メモリカード国際協会（ＰＣＭＣＩＡ）及び日本電子工業振興協会（ＪＥＩＤＡ）が推奨している「ＰＣ  ＣＡＲＤ  ＳＴＡＮＤＡＲＤ」規格が主流であったが、近年、種々のデータ入出力カードの規格が提案されている。
【０００６】
例えば、「Ｃｏｍｐａｃｔ  Ｆｌａｓｈ」（サンディスク社の登録商標、外形寸法３６．４×４２．８×３．３ｍｍ３）や、「Ｓｍａｌｌ  ＰＣ  Ｃａｒｄ」（外形寸法４５．０×４２．８×５．０ｍｍ３）や、「Ｍｉｎｉｔｕａｒｅ  Ｃａｒｄ」（外形寸法３８．０×３３．０×３．５ｍｍ３）や、「ＳｍａｒｔＭｅｄｉａ」（東芝の登録商標、外形寸法３７．０×４５．０×０．６７ｍｍ３）や、「ＭＭＣ（ＭｕｌｔｉＭｅｄｉａ  Ｃａｒｄ）」（外形寸法２４．０×３２．０×１．４ｍｍ３）「メモリースティック」（ソニー（株）の商標、外形寸法３６．４×４２．８×３．３ｍｍ３）等がある。
【０００７】
これらのデータ入出力カードは、樹脂成形体のフレームの両側面に金属クリップを設ける、という規定がないため、この金属クリップを利用して、外部ノイズや人体などから放電する静電気から電子部品を保護することができない。
また、データ入出力カードの外形形状がＰＣＭＣＩＡカードと比較して小型化されているため、延長部１１２を設けると、部品の配置スペースやパターンの配線スペースが有効に使用できなくなる、という欠点がある。
【０００８】
本発明は、上述のような種々のデータ入出力カードに対しても、確実に外部ノイズや人体などから放電する静電気から電子部品を保護が可能であり、また、部品の配置スペースやパターンの配線スペースが有効に利用できる信頼性の高いデータ入出力カードを提供する。
【０００９】
【課題を解決するための手段】
本発明は、上記の課題を解決するためになされたものである。即ち、
（１）半導体部品を含む複数の電子部品と、
この電子部品と電気的に接続する配線パターンを備える基板と、
この基板の少なくとも一部に設けたグランド端子と、
この基板に搭載し、内部に複数の端子を有する第１のコネクタと、
この基板に搭載し、内部に複数の端子を有する第２のコネクタと、
この基板の周縁を囲むフレームと、
このフレームを挟持して固定し表裏両面を形成する一対の金属パネルと、
からなるデータ入出力カードであって、
前記第２のコネクタの少なくとも一部を導電性部材で形成した導電部を設け、
この導電部と前記グランド端子とを電気的に接続すると共に、
前記一対の金属パネルのいずれか又は双方に弾性を有する突部を設け、
この突部と前記導電性部材とを電気的に接続すること
を特徴とするデータ入出力カードである。
【００１０】
（２）半導体部品を含む複数の電子部品と、
この電子部品と電気的に接続する配線パターンを備える基板と、
この基板の少なくとも一部に設けたグランド端子と、
この基板に搭載し、内部に複数の端子を有する第１のコネクタと、
この基板に搭載し、内部に複数の端子を有する第２、第３のコネクタと、
この基板の周縁を囲むフレームと、
このフレームを挟持して固定し表裏両面を形成する一対の金属パネルと、
からなるデータ入出力カードであって、
前記一対の金属パネルのいずれか又は双方に前記第２、第３のコネクタそれぞれに接続可能な弾性を有する複数の突部を設け、
この導電部と前記グランド端子とを電気的に接続すると共に、
前記第２、第３のコネクタそれぞれに接続可能な弾性を有する複数の突部を設け、
この複数の突部と前記導電性部材とを電気的に接続すること
を特徴とするデータ入出力カードである。
【００１１】
（３）前記突部の先端は、略くの字に折曲していることを特徴とする（１）又は（２）記載のデータ入出力カードである。
【００１２】
【発明の実施の形態】
【００１３】
【実施例】
以下、本発明に係わる入出力装置の実施の形態を図面に従って説明する。
【００１４】
図２は、本発明の一実施例であるデータ入出力カードを示す動作説明図である。  データ入出力カード１はパーソナルコンピュータ２０に備えられたカードスロット２１に対して矢印Ｐ方向に挿抜可能であり、このデータ入出力カード１をカードスロット２１に挿入すると、このカードスロット２１内部に備えられたコネクタ（図示せず）と、データ入出力カード１のコネクタ４とが電気的に接続する。
【００１５】
パーソナルコンピュータ２０をオンして、通信機能を作動させ、キーボード２２からデータを入力すると、データを示す電気信号は、データ入出力カード１内で所望の電気信号に変換し、コネクタ５、ケーブル２３や電話回線やＨＵＢを経由し、相手のパーソナルコンピュータへと送信される。
【００１６】
図１は、本発明の一実施例であるデータ入出力カードを示す分解斜視図であり、これに基づいて説明する。
【００１７】
半導体部品を含む複数の電子部品２は基板３上に搭載され、この基板３の配線パターンと電気的に接続している。また、この基板３はパーソナルコンピュータやワードプロセッサ等の電子機器と電気的に接続するコネクタ４を搭載し、前記配線パターンと電気的に接続する。また、グランド端子６を基板３上に具備している。
【００１８】
ＭＯＤＥＭカードやＬＡＮカードのように外部電子機器とデータ通信をする、いわゆるＩ／Ｏカードは、電話回線やＨＵＢと電気的に接続するためのコネクタ５を搭載する。
【００１９】
表金属パネル７と裏金属パネル８は、少なくとも一方、また少なくとも一部に、コの字状に切れ目を入れる。表金属パネル７に設けた切れ目は矢印Ｒ方向に、裏金属パネル８に設けた切れ目は矢印Ｑ方向に切り起こし、弾性を持たせた突部１０を設ける。表金属パネル７と裏金属パネル８は、基板３を挟持するように固着させ、データ入出力カード１の外形を形成する。
【００２０】
そうして、表裏両面から、社名、商品名、型名等を記載するための粘着シート９を貼付するとデータ入出力カード１の組み立てが完了する。
【００２１】
ここで、図１におけるａ部拡大図を図３に示す。
【００２２】
前記コネクタ５は、端子１７と導電部１１からなる。この導電部１１は、上面部１２、側面部１３、１４、この側面部の下方の一部を伸長した伸長部１５、１６と、底面部から成り、全て導電部材で形成されている。前記端子１７はグランド端子を有する場合もあり、このグランド端子と前記導電部１１が電気的に接続されていても良い。
【００２３】
この伸長部１５、１６は、前記グランド端子６にハンダ付けされる。これにより前記コネクタ５は基板３上に固着され、グランド端子６と導電部１１が同電位となる。
【００２４】
前記突部１０は、前記導電部１１と接触可能な位置に形成し、データ入出力装置１を組み立てると、突部１０と導電部１１は電気的に接続する。この突部１０は、図５のＢ部拡大図に示すように、先端が略くの字に折曲していても良い。略くの字に折曲していると、前記導電部１１と、突部１０の接触面積が広くなり、より確実な電気的接続が可能である。
【００２５】
これにより、データ入出力カード１内部のグランド端子６と、表金属パネル７及び裏金属パネル８が同電位となり、外部ノイズや人体などから放電する静電気を前記表金属パネル７、裏金属パネル８を介して、パーソナルコンピュータ等の外部機器の接地回路に放電することにより、半導体部品を含む複数の電子部品２を保護することが可能となる。
【００２６】
図４は、本発明の他の実施例であるデータ入出力カードを示す分解斜視図であり、これに基づいて説明する。
【００２７】
近年、種々の機能を備えたデータ入出力カード１が普及してきている。例えば、携帯電話やＰＨＳを利用して通信する「ＬＡＮ機能＋ＰＨＳ」や「ＬＡＮ機能＋携帯電話機能」等が挙げられる。
【００２８】
このような複数の通信機能を有するデータ入出力カード１は、前記コネクタ５と同一側面に複数のコネクタ（実施例ではコネクタ１８）を備える。
【００２９】
例えば、コネクタ５をＨＵＢと電気的に接続させ、かつ、コネクタ１８を携帯電話と電気的に接続することにより、ＨＵＢ経由で送信されてきた電気信号を示すデータを、前記コネクタ４を介してパーソナルコンピュータ等の電子機器上に表示し、このデータをコネクタ１８と電気的に接続している携帯電話を介して、所望のパーソナルコンピュータへと送信する。
【００３０】
このコネクタ５とコネクタ１８は、それぞれに前記導電部１１を備え、また、表金属パネル７、裏金属パネル８に複数（実施例では４個所）の突部１０を設ける。上記構成で、データ入出力カード１を組み立てると、前記導電部１１と前記突部１０とがそれぞれ電気的に接続する。
【００３１】
従って、表金属パネル７と裏金属パネル８とグランド端子６とが、複数の電気接点で接続しているので、確実に外部ノイズや人体などから放電する静電気から電子部品２を保護することが可能であり、信頼性の高いデータ入出力カードを提供できる。
【００３２】
また、延長部１１２を備えることがないため、部品の配置スペースやパターンの配線スペースを有効に利用できる。
【００３３】
【発明の効果】
以上説明したように、本発明のデータ入出力カードによれば、半導体部品を含む複数の電子部品と、この電子部品と電気的に接続する配線パターンを備える基板と、この基板の少なくとも一部に設けたグランド端子と、この基板に搭載し、内部に複数の端子を有する第１のコネクタと、この基板に搭載し、内部に複数の端子を有する第２のコネクタと、この基板の周縁を囲むフレームと、このフレームを挟持して固定し表裏両面を形成する一対の金属パネルと、からなるデータ入出力カードであって、前記第２のコネクタの少なくとも一部を導電性部材で形成した導電部を設け、この導電部と前記グランド端子とを電気的に接続すると共に、
前記一対の金属パネルのいずれか又は双方に弾性を有する突部を設け、この突部と前記導電性部材とを電気的に接続することにより、あらゆる規格のデータ入出力カードに対して、半導体部品を含む電子部品を外部ノイズや人体から放電する静電気から保護することが可能であり、部品の配置スペースやパターンの配線スペースが有効に利用できる信頼性の高いデータ入出力カードを提供できる。
【００３４】
また、半導体部品を含む複数の電子部品と、この電子部品と電気的に接続する配線パターンを備える基板と、この基板の少なくとも一部に設けたグランド端子と、この基板に搭載し、内部に複数の端子を有する第１のコネクタと、この基板に搭載し、内部に複数の端子を有する第２、第３のコネクタと、この基板の周縁を囲むフレームと、このフレームを挟持して固定し表裏両面を形成する一対の金属パネルと、からなるデータ入出力カードであって、
前記一対の金属パネルのいずれか又は双方に前記第２、第３のコネクタそれぞれに接続可能な弾性を有する複数の突部を設け、この導電部と前記グランド端子とを電気的に接続すると共に、前記第２、第３のコネクタそれぞれに接続可能な弾性を有する複数の突部を設け、この複数の突部と前記導電性部材とを電気的に接続する構成においても、同様の効果を奏し、更に複数の突部を設けることにより、より確実な電気的接続が可能となる。
【００３５】
また、前記突部を略くの字に折曲することにより、前記導電部と、突部の接触面積が広くなり、より確実な電気的接続が可能となる。
【図面の簡単な説明】
【図１】本発明の一実施例であるデータ入出力カードを示す分解斜視図。
【図２】本発明の一実施例であるデータ入出力カードの動作説明図。
【図３】図１に示すａ部拡大図
【図４】本発明の他の実施例であるデータ入出力カードを示す分解斜視図。
【図５】図１に示すｂ部拡大図
【図６】従来の一実施例であるデータ入出力カードを示す分解斜視図。
【符号の説明】
１    データ入出力装置
２    電子部品
３    基板
４    コネクタ
５    コネクタ
６    グランド端子
７    表金属パネル
８    裏金属パネル
９    粘着シート
１０  突部
１１  導電部
１２  上面部
１３  側面部
１４  側面部
１５  伸長部
１６  伸長部
１７  端子
１８  コネクタ
以上
【図１】
0003594501.tif 000002
【図２】
0003594501.tif 000003
【図３】
0003594501.tif 000004
【図４】
0003594501.tif 000005
【図５】
0003594501.tif 000006
【図６】
0003594501.tif 000007